【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
像担持体に形成されたトナーパッチに光を照射し、トナーパッチから反射された反射光を第１光成分と第２光成分に分割して、前記第１光成分を受光して第１受光信号を出力し、前記第２光成分を受光して第２受光信号を出力するセンサ素子と、
前記センサ素子から出力された前記第１受光信号を基準電圧に基づいてアナログ／デジタル変換器で第１デジタルデータに変換し、前記センサ素子から出力された前記第２受光信号を基準電圧に基づいてアナログ／デジタル変換器で第２デジタルデータに変換して、該第１デジタルデータ及び第２デジタルデータに基づいてトナーパッチの濃度を検出する濃度検出手段とを有するトナー濃度検出装置であって、
トナーパッチの濃度に対応して予め記憶されたデジタルデータの第１基準値と前記アナログ／デジタル変換器から出力される前記第１デジタルデータとの比較と、トナーパッチの濃度に対応して予め記憶されたデジタルデータの第２基準値と前記アナログ／デジタル変換器から出力される前記第２デジタルデータとの比較とに基づいて、前記濃度検出手段で検出されるトナー濃度検出値を調整する調整手段を備えることを特徴とするトナー濃度検出装置。
【請求項２】
前記調整手段は、トナーパッチの濃度に対応して予め記憶されたデジタルデータの前記第１基準値とアナログ／デジタル変換器から出力される前記第１デジタルデータとの比較に基づいて、前記アナログ／デジタル変換器の第１基準電圧を調整し、トナーパッチの濃度に対応して予め記憶されたデジタルデータの前記第２基準値とアナログ／デジタル変換器から出力される前記第２デジタルデータとの比較に基づいて、前記アナログ／デジタル変換器の第２基準電圧を調整することにより、トナー濃度検出値を調整することを特徴とする請求項１記載のトナー濃度検出装置。
【請求項３】
前記調整手段は、トナーパッチの濃度に対応して予め記憶されたデジタルデータの前記第１基準値と前記アナログ／デジタル変換器から出力される前記第１デジタルデータとの比較に基づいて、その第１差分値を記憶し、該第１差分値により前記アナログ／デジタル変換器から出力される前記第１デジタルデータを調整し、トナーパッチの濃度に対応して予め記憶されたデジタルデータの前記第２基準値と前記アナログ／デジタル変換器から出力される前記第２デジタルデータとの比較に基づいて、その第２差分値を記憶し、該第２差分値により前記アナログ／デジタル変換器から出力される前記第２デジタルデータを調整することにより、トナー濃度検出値を調整することを特徴とする請求項１記載のトナー濃度検出装置。
【請求項４】
前記センサ素子は、
像担持体に形成されたトナーパッチに光を照射する光照射手段と、
前記光照射手段からの光がトナーパッチで反射され、その反射光を第１光成分及び第２光成分に分割する光分割手段と、
前記光分割手段からの第１光成分を受光し、その光量を検出する第１受光手段と、
前記光分割手段からの第２光成分を受光し、その光量を検出する第２受光手段と、
前記第１受光手段からの信号を増幅して前記第１受光信号を出力する第１増幅器と、
前記第２受光手段からの信号を増幅して前記第２受光信号を出力する第２増幅器とを含むことを特徴とする請求項１に記載のトナー濃度検出装置。
【請求項５】
前記第１受光手段及び第２受光手段は、光量検出のゲインを調整するゲイン調整手段を有することを特徴とする請求項４に記載のトナー濃度検出装置。
【請求項６】
像担持体に形成されたトナーパッチの濃度を検出するトナー濃度検出装置を有し、予め記憶されたトナーパッチの濃度と検出されたトナーパッチの濃度とに基づいて濃度制御を行なう画像形成装置であって、
前記トナー濃度検出装置が、
像担持体に形成されたトナーパッチに光を照射し、トナーパッチから反射された反射光を第１光成分と第２光成分に分割して、前記第１光成分を受光して第１受光信号を出力し、前記第２光成分を受光して第２受光信号を出力するセンサ素子と、
前記センサ素子から出力された前記第１受光信号を基準電圧に基づいてアナログ／デジタル変換器で第１デジタルデータに変換し、前記センサ素子から出力された前記第２受光信号を基準電圧に基づいてアナログ／デジタル変換器で第２デジタルデータに変換して、該第１デジタルデータ及び第２デジタルデータに基づいてトナーパッチの濃度を検出する濃度検出手段と、
トナーパッチの濃度に対応して予め記憶されたデジタルデータの第１基準値と前記アナログ／デジタル変換器から出力される前記第１デジタルデータとの比較と、トナーパッチの濃度に対応して予め記憶されたデジタルデータの第２基準値と前記アナログ／デジタル変換器から出力される前記第２デジタルデータとの比較とに基づいて、前記濃度検出手段で検出されるトナー濃度検出値を調整する調整手段とを備えることを特徴とする画像形成装置。
【手続補正２】
【補正対象書類名】明細書
【補正対象項目名】００１１
【補正方法】変更
【補正の内容】
【００１１】
かかる課題を解決するために、本発明のトナー濃度検出装置は、像担持体に形成されたトナーパッチに光を照射し、トナーパッチから反射された反射光を第１光成分と第２光成分に分割して、前記第１光成分を受光して第１受光信号を出力し、前記第２光成分を受光して第２受光信号を出力するセンサ素子と、前記センサ素子から出力された前記第１受光信号を基準電圧に基づいてアナログ／デジタル変換器で第１デジタルデータに変換し、前記センサ素子から出力された前記第２受光信号を基準電圧に基づいてアナログ／デジタル変換器で第２デジタルデータに変換して、該第１デジタルデータ及び第２デジタルデータに基づいてトナーパッチの濃度を検出する濃度検出手段とを有するトナー濃度検出装置であって、トナーパッチの濃度に対応して予め記憶されたデジタルデータの第１基準値と前記アナログ／デジタル変換器から出力される前記第１デジタルデータとの比較と、トナーパッチの濃度に対応して予め記憶されたデジタルデータの第２基準値と前記アナログ／デジタル変換器から出力される前記第２デジタルデータとの比較とに基づいて、前記濃度検出手段で検出されるトナー濃度検出値を調整する調整手段を備えることを特徴とする。
【手続補正３】
【補正対象書類名】明細書
【補正対象項目名】００１２
【補正方法】変更
【補正の内容】
【００１２】
ここで、前記調整手段は、トナーパッチの濃度に対応して予め記憶されたデジタルデータの前記第１基準値とアナログ／デジタル変換器から出力される前記第１デジタルデータとの比較に基づいて、前記アナログ／デジタル変換器の第１基準電圧を調整し、トナーパッチの濃度に対応して予め記憶されたデジタルデータの前記第２基準値とアナログ／デジタル変換器から出力される前記第２デジタルデータとの比較に基づいて、前記アナログ／デジタル変換器の第２基準電圧を調整することにより、トナー濃度検出値を調整する。また、前記調整手段は、トナーパッチの濃度に対応して予め記憶されたデジタルデータの前記第１基準値と前記アナログ／デジタル変換器から出力される前記第１デジタルデータとの比較に基づいて、その第１差分値を記憶し、該第１差分値により前記アナログ／デジタル変換器から出力される前記第１デジタルデータを調整し、トナーパッチの濃度に対応して予め記憶されたデジタルデータの前記第２基準値と前記アナログ／デジタル変換器から出力される前記第２デジタルデータとの比較に基づいて、その第２差分値を記憶し、該第２差分値により前記アナログ／デジタル変換器から出力される前記第２デジタルデータを調整することにより、トナー濃度検出値を調整する。また、前記センサ素子は、像担持体に形成されたトナーパッチに光を照射する光照射手段と、前記光照射手段からの光がトナーパッチで反射され、その反射光を第１光成分及び第２光成分に分割する光分割手段と、前記光分割手段からの第１光成分を受光し、その光量を検出する第１受光手段と、前記光分割手段からの第２光成分を受光し、その光量を検出する第２受光手段と、前記第１受光手段からの信号を増幅して前記第１受光信号を出力する第１増幅器と、前記第２受光手段からの信号を増幅して前記第２受光信号を出力する第２増幅器とを含む。また、前記第１受光手段及び第２受光手段は、光量検出のゲインを調整するゲイン調整手段を有する。
【手続補正４】
【補正対象書類名】明細書
【補正対象項目名】００１３
【補正方法】変更
【補正の内容】
【００１３】
又、本発明の画像形成装置は、像担持体に形成されたトナーパッチの濃度を検出するトナー濃度検出装置を有し、予め記憶されたトナーパッチの濃度と検出されたトナーパッチの濃度とに基づいて濃度制御を行なう画像形成装置であって、前記トナー濃度検出装置が、像担持体に形成されたトナーパッチに光を照射し、トナーパッチから反射された反射光を第１光成分と第２光成分に分割して、前記第１光成分を受光して第１受光信号を出力し、前記第２光成分を受光して第２受光信号を出力するセンサ素子と、前記センサ素子から出力された前記第１受光信号を基準電圧に基づいてアナログ／デジタル変換器で第１デジタルデータに変換し、前記センサ素子から出力された前記第２受光信号を基準電圧に基づいてアナログ／デジタル変換器で第２デジタルデータに変換して、該第１デジタルデータ及び第２デジタルデータに基づいてトナーパッチの濃度を検出する濃度検出手段と、トナーパッチの濃度に対応して予め記憶されたデジタルデータの第１基準値と前記アナログ／デジタル変換器から出力される前記第１デジタルデータとの比較と、トナーパッチの濃度に対応して予め記憶されたデジタルデータの第２基準値と前記アナログ／デジタル変換器から出力される前記第２デジタルデータとの比較とに基づいて、前記濃度検出手段で検出されるトナー濃度検出値を調整する調整手段とを備えることを特徴とする。